(57)【要約】【課題】機械室レスエレベータシステムのメリットを減殺することなく、また、かご内の天井の意匠的効果を損なうことなく、長尺物を運搬できるようにする。【解決手段】かご室１ａの寸法よりも大きな長さの長尺物（例えば、ジャンプ用の長いスキー板）をエレベータで運搬しようとする場合、鍵部１１を解錠してトランク扉８を開放する。そして、スキー板のテール側をトランク７の開口部からトランク室７ａに差し込み、テールをトランク室７ａの底部に載置する。このとき、トランク扉８が開放されトランク７は開口状態にあるので、エレベータ制御回路１３は、開口状態検出器１２から開口検出信号を入力しており、かご１が下降する場合には下降速度を通常運転時よりも低くする。【選択図】  図１
2004244189.tif 000002
【特許請求の範囲】
【請求項１】
かご室内の寸法を超える長さの長尺物を運搬可能とするため、長尺物の一方の端部付近を収納するトランクをかごに付設したトランク付きエレベータにおいて、
前記トランクを、トランク開口部がかご床面に臨むように、かご床面下方に付設し、常時は該トランク開口部をかご床面の一部を形成するトランク扉により覆った、
ことを特徴とするトランク付きエレベータ。
【請求項２】
前記トランク開口部が開口状態にあるか否かを検出する開口状態検出器が設けられており、前記かごの走行を制御するエレベータ制御回路は、前記開口状態検出器から開口検出信号を入力した場合に、かごの下降速度を通常運転時よりも低い速度にするものである、
ことを特徴とする請求項１記載のトランク付きエレベータ。
【請求項３】
前記エレベータ制御回路は、前記かごの下降速度を通常運転時よりも低い速度にすることに代えて、かごの最下階への停止を禁止するものである、
ことを特徴とする請求項２記載のトランク付きエレベータ。
【請求項４】
前記トランクは、かご床面に対する垂直方向の長さが、使用時には長く非使用時には短くなるように伸縮可能なものである、
ことを特徴とする請求項１乃至３のいずれかに記載のトランク付きエレベータ。
【請求項５】
前記トランクは、変形自在な袋状部材により形成されたものである、
ことを特徴とする請求項１乃至３のいずれかに記載のトランク付きエレベータ。
【請求項６】
前記トランクの下方に位置するピット深さを、メインテナンス作業に支障がない充分な空間を得られる深さまで深くする、
ことを特徴とする請求項１乃至５のいずれかに記載のトランク付きエレベータ。
【請求項７】
前記トランク扉には扉の無用な開口を禁止するための鍵機構が取り付けられており、しかも、この鍵機構の鍵操作穴は床面より所定高さ以上の位置にあるかご室壁面部に設けられている、
ことを特徴とする請求項１乃至６のいずれかに記載のトランク付きエレベータ。
【発明の詳細な説明】
【０００１】
【発明の属する技術分野】
本発明は、かご室内の寸法を超える長さの長尺物を運搬することができるトランク付きエレベータに関するものである。
【０００２】
【従来の技術】
マンション等の共同住宅においては、ときとして担架や棺桶などをエレベータかご内に搬入したい場合が発生する。このような場合、かご室内が担架や棺桶よりも大きな寸法で作られているものであれば問題はないが、そうでない場合には階段等を使って担架や棺桶を運搬しなければならないという不便を強いられることになる。そうかといって、最初からかご室内の寸法を担架や棺桶よりも大きくしたのでは、エレベータの定員が増大することになるためエレベータの能力や建物の強度などをアップしなければならず、滅多に使用されることのない担架や棺桶のために住民に余分な経済的負担をかけることになる。トランク付きエレベータは、このような問題を回避するために考え出されたエレベータである（例えば、特許文献１，２参照）。
【０００３】
図７は、従来のトランク付きエレベータの構成を示す説明図である。この図において、かご１はかご枠２に支持されており、かご枠２の上部にはメインロープ３の一端側が取り付けられている。メインロープ３の他端側は巻上シーブ４を介してカウンタウェイト５に取り付けられている。そして、図示を省略してある巻上機が巻上シーブ４を回転駆動することにより、かご１が昇降路内を昇降動するようになっている。
【０００４】
かご１内にはかご室１ａが形成されており、かご室１ａの下部にはかご床面６が設けられている。かご１の乗降口の反対側にはトランク７が付設されており、そのトランク室７ａの開口部にトランク扉８が取り付けられている。図７は、かご１が最下階に停止した状態を示しており、かご１の下方にはピット９が形成され、このピット９内には緩衝器１０が設置されている。
【０００５】
次に、図７のトランク付きエレベータの使用の仕方につき説明する。トランク室７ａの開口部は常時はトランク扉８により閉塞された状態となっており、この状態ではかご室１ａ内はトランク７が付設されていない普通のかごと同様に用いられる。また、トランク扉８は常時は管理人が管理する鍵によって施錠されており、子供がトランク室７ａに閉じこめられるような事故や、犯罪者がトランク室７ａに隠れて犯罪に利用することなどが防止されている。
【０００６】
そして、例えば、担架（キャスタが付いて移動可能となった寝台式のもの）に乗せられた乗客がエレベータを利用する場合、管理人はトランク扉８を解錠し、トランク扉８を開けて担架の一端側を開口部からトランク室７ａに入れる。そして、担架が目的階に到着してかご室１ａを出た後に再びトランク扉８を締めて施錠する。
【０００７】
【特許文献１】
特開２０００−１０３５８３号公報
【特許文献２】
特開２０００−１２８４６１号公報
【０００８】
【発明が解決しようとする課題】
上記のように、通常であれば、大きすぎてかご室１ａ内には搬入することができずエレベータでの運搬が不可能な担架であっても、トランク７のトランク室７ａを利用することによってエレベータでの運搬が可能になっている。そして、この場合、エレベータの定員数を増大させているわけではないのでエレベータの能力や建物の強度などをアップする必要はない。
【０００９】
図７のようなトランク付きエレベータであれば、担架や棺桶ばかりかその他の長尺物も運搬可能である。しかし、図７の構成は、かご１の側方にトランク７が付設されているので、その分昇降路のスペースを広くする必要がある。したがって、このようなスペースを確保できない建物ではトランク付きエレベータを設置できないことになる。
【００１０】
このような建物のエレベータでは、担架や棺桶などの運搬ができないのはやむを得ないとしても、せめてそれ以外の長尺物（例えば、ジャンプ競技用などの長いスキー板、弓道の弓、物干し竿、特殊な装飾品等）については運搬できるようにしたいという要望がある。そこで、このような長尺物のエレベータ運搬時の姿勢を横方向ではなく縦方向とする発想が現れ、トランクを天井に設ける構成が考え出されたこともある。このトランクを天井に設ける構成は、かご床の強度等を考慮しなくて済むなどのそれなりの長所がある。
【００１１】
しかし、トランクをかごの天井に設けようとすると、トランクの端部が天井の上方に突出してしまうため建物の屋上にこの突出部を収納する空間が必要となり、建物の外観を損なう虞がある。一方、近年のエレベータシステムでは、昇降路の最上部の上方に機械室を設置する必要のない所謂「機械室レス」のシステムが主流になってきているが、上記のようなトランクをかごの天井に設けた構成を採用すると、屋上に突出部収納空間を設置しなければならないため、機械室レスのエレベータシステムのメリットを大きく減殺してしまうことになる。更に、トランクをかごの天井に設けた構成を採用した場合、天井部を開けてトランク室を使用できるようにする必要があるため、天井を特殊な構造としなければならず、天井の意匠的効果を大きく損なう虞もある。
【００１２】
本発明は上記事情に鑑みてなされたものであり、機械室レスエレベータシステムのメリットを減殺することなく、また、かご内の天井の意匠的効果を損なうことなく、長尺物を運搬することが可能なトランク付きエレベータを提供することを目的としている。
【００１３】
【課題を解決するための手段】
上記課題を解決するための手段として、請求項１記載の発明は、かご室内の寸法を超える長さの長尺物を運搬可能とするため、長尺物の一方の端部付近を収納するトランクをかごに付設したトランク付きエレベータにおいて、前記トランクを、トランク開口部がかご床面に臨むように、かご床面下方に付設し、常時は該トランク開口部をかご床面の一部を形成するトランク扉により覆った、ことを特徴とする。
【００１４】
請求項２記載の発明は、請求項１記載の発明において、前記トランク開口部が開口状態にあるか否かを検出する開口状態検出器が設けられており、前記かごの走行を制御するエレベータ制御回路は、前記開口状態検出器から開口検出信号を入力した場合に、かごの下降速度を通常運転時よりも低い速度にするものである、ことを特徴とする。
【００１５】
請求項３記載の発明は、請求項２記載の発明において、前記エレベータ制御回路は、前記かごの下降速度を通常運転時よりも低い速度にすることに代えて、かごの最下階への停止を禁止するものである、ことを特徴とする。
【００１６】
請求項４記載の発明は、請求項１乃至３のいずれかに記載の発明において、前記トランクは、かご床面に対する垂直方向の長さが、使用時には長く非使用時には短くなるように伸縮可能なものである、ことを特徴とする。
【００１７】
請求項５記載の発明は、請求項１乃至３のいずれかに記載の発明において、前記トランクは、変形自在な袋状部材により形成されたものである、ことを特徴とする。
【００１８】
請求項６記載の発明は、請求項１乃至５のいずれかに記載の発明において、前記トランクの下方に位置するピット深さを、メインテナンス作業に支障がない充分な空間を得られる深さまで深くする、ことを特徴とする。
【００１９】
請求項７記載の発明は、請求項１乃至６のいずれかに記載の発明において、前記トランク扉には扉の無用な開口を禁止するための鍵機構が取り付けられており、しかも、この鍵機構の鍵操作穴は床面より所定高さ以上の位置にあるかご室壁面部に設けられている、ことを特徴とする。
【００２０】
【発明の実施の形態】
以下、本発明の実施形態を図に基づき説明する。但し、図７の従来例の構成で示したものと同様の構成要素には同一符号を付して重複した説明を省略する。
【００２１】
図１は、本発明の第１の実施形態の説明図であり、（ａ）は側面図、（ｂ）は平面図である。この図において、開口部がかご床面６に臨むように、トランク７がこのかご床面６の下方に付設されており、この開口部はかご床面６の一部を形成しているトランク扉８により覆われている。このトランク扉８は、前述したように、常時は管理人が管理する鍵部１１によって施錠されており、子供がトランク室７ａに閉じこめられるような事故や、犯罪者がトランク室７ａに隠れて犯罪に利用することなどが防止されている。なお、この鍵部１１は、かご床面６から上方へ突出した状態になっているため乗客に踏まれて鍵穴が破損しないように蓋部材が設けられているが、かご床面６より下方に埋設して上方へ突出しないようにすることも可能である。
【００２２】
そして、トランク室７ａ内のトランク扉８付近には、トランク扉８で覆われているトランク開口部が開口状態にあるか否かを検出するための開口状態検出器１２が設けられており、その検出信号がエレベータ制御回路１３に出力されるようになっている。エレベータ制御回路１３は、開口状態検出器１２から入力した検出信号が開口状態にあることを示す信号である場合は。かごの下降速度を通常運転時よりも低い速度に制御するようになっている。これは、もし万一昇降路内に何らかの障害物が存在し、この障害物がトランク７にぶつかるような事故が発生したとしても、低速度で走行していればトランク室７ａ内の長尺物が受ける衝撃を小さくすることができ、被害を最小にすることができることを考慮したものである。
【００２３】
次に、本実施形態のトランク付きエレベータの使用の仕方につき説明する。図７の場合と同様に、トランク室７ａの開口部は常時はトランク扉８により閉塞された状態となっており、この状態では開口状態検出器１２はトランク扉８が閉塞されていることを示す信号をエレベータ制御回路１３に出力している。したがって、エレベータ制御回路１３は、この状態ではかご室１ａ内にトランク７が付設されていない普通のかごと同様の制御を行う。また、トランク扉８に設けられた鍵部１１は常時は管理人が管理する鍵によって施錠されており、子供がトランク室７ａに閉じこめられるような事故や、犯罪者がトランク室７ａに隠れて犯罪に利用することなどが防止されている。
【００２４】
乗客がかご室１ａの寸法よりも大きな長さの長尺物（例えば、ジャンプ用の長いスキー板）をエレベータで運搬しようとする場合は、まず管理人から鍵を借り、鍵部１１を解錠してトランク扉８を開放する。そして、乗客はスキー板のテール側をトランク７の開口部からトランク室７ａに差し込み、テールをトランク室７ａの底部に載置した後、かご室１ａ内に設置されている行き先階ボタンを押す。
【００２５】
これにより、エレベータ制御回路１３は、スキー板が搬入されたかご１を目的階まで移動させるように制御を行う。このとき、トランク扉８が開放されトランク７は開口状態にあるので、エレベータ制御回路１３は開口状態検出器１２から開口検出信号を入力している。したがって、かご１が下降する場合、エレベータ制御回路１３はその下降速度を通常運転時よりも低い速度で制御する（上昇する場合は、トランク７が昇降路内の障害物にぶつかることは考えられないので通常運転時と同様の速度でよい。）。
【００２６】
かご１が目的階に到着すると、乗客はトランク室７ａからスキー板のテールを引き抜いてスキー板をかご室１ａから搬出する。この後、乗客は再度かご室１ａ内に入ってトランク扉８を閉め、鍵部１１の施錠を行うようにする。そして、乗客は借りていた鍵を管理人に返却する。
【００２７】
上述したトランク付きエレベータによれば、かご室１ａよりもやや大きな寸法を有するスキー板等の長尺物をかご１により運搬することが可能になる。そして、トランク７はかご１の天井側ではなく床側に付設されているので、トランク部分が天井から突出する構造となって機械室レスのエレベータシステムのメリットを減殺してしまうような事態や天井の意匠的効果を損なうような事態を回避することができる。
【００２８】
なお、上記実施形態では、トランク７が使用状態にあり、エレベータ制御回路１３が開口状態検出器１２から開口検出信号を入力している状態では、かご１を通常運転時よりも低速度で下降させる制御を行うようにしているが、このような制御に代えて、かご１が最下階に停止するのを禁止する制御を行うようにしてもよい。最下階にはピットが設置されており、トランク７に衝突する可能性のある障害物の殆どはピット内に存在すると考えられるからである。
【００２９】
図２は、本発明の第２の実施形態の説明図であり、（ａ）は伸縮可能なトランク１４の使用時における状態を示し、（ｂ）は伸縮可能なトランク１４の非使用時における状態を示している。なお、この図２では図面を簡潔にするため、図１では図示されていた鍵部１１、開口状態検出器１２、及びエレベータ制御回路１３を省略している。
【００３０】
図２（ａ）に図示されているように、トランク１４は、トランク扉８の直ぐ下の位置に固設された筒部材１４Ａと、筒部材１４Ａよりも大きな径を有し、上側係合部が筒部材１４Ａの下側係合部と係合している筒部材１４Ｂと、筒部材１４Ｂよりも更に大きな径を有し、上側係合部が筒部材１４Ｂの下側係合部と係合すると共に、底板部が形成されている筒部材１４Ｃとで構成されている。これら筒部材１４Ａ，１４Ｂ，１４Ｃの各係合部間の係合構造の図示は省略しているが、乗客はトランク室１４ａ内に設けられている金具等を操作することにより容易にトランク１４を図２（ａ）の状態から図２（ｂ）の状態へ、あるいは図２（ｂ）の状態から図２（ａ）の状態へ変えることができる。
【００３１】
この第２の実施形態によれば、図２（ｂ）の図示から明らかなように、非使用時にはトランク１４の下方側への突出の程度を僅かなものとすることができるので、ピット内に存在している障害物等にトランク１４がぶつかる可能性を小さなものとすることができる。また、作業員がかご１を最下階に停止させ、ピット内でメインテナンス作業を行う場合にも充分な作業スペースを確保することができる。
【００３２】
図３は、本発明の第３の実施形態の説明図である。この実施形態では、かご床面６の下方に付設されるトランクが変形自在な袋状部材である金属製チェーン１５により形成されている。このように、トランクを変形自在な金属製チェーン１５により形成することにより、障害物が万一ぶつかったとしてもトランクが破損して使用不能になる事態を回避することができる。また、ピット内で作業員がメインテナンス作業を行う際に頭をぶつけても変形自在であるが故に作業員が怪我をするのを防止することができる。更に、変形自在であるが故に、この金属製チェーン１５の存在が多少邪魔になったとしても手や腕で払いのけることができるので、そのままメインテナンス作業を続行することが可能になることが多い。
【００３３】
そして、トランクが頑丈な金属製チェーン１５により形成されているが故に、長尺物がかなりの重量を有するものであったり、傷を与えやすい鋭角部分等を有するものであったとしても破損してしまうことはない。また、金属製チェーン１５の縦横のチェーン間隔を充分小さくすることにより、長尺物の端部が金属製チェーン１５から外側へ突き出てしまうのを防止することができる。なお、図３では、変形自在な袋状部材として金属製チェーン１５を用いた例を示したが、特に金属製でなければならないわけではなく、その他にナイロン製などの丈夫な部材を用いてもよい。
【００３４】
図４は、本発明の第４の実施形態の説明図である。この実施形態は、トランク７の下方に位置するピット９内の場所を深さＤ（Ｄの値は少なくともトランク７の高さよりも大きくすることが好ましい）だけ深くして拡張部９ａを形成したものである。この拡張部９ａの面積は、少なくともトランク７の投影面の面積よりも大きなものであることが好ましい。ピット９の内部空間をトランク７がかご１に付設されていない場合と同様の空間にしておくと、充分な作業スペースを確保できなくなることがあり、メインテナンス時における作業員の作業性を悪くする虞がある。しかし、このように拡張部９ａを形成することにより、充分な作業スペースを確保でき作業性の低下を防ぐことができる。また、下降してきたかご１のトランク７とピット９床面との間にメインテナンス作業中の作業員がはさまれてしまうというような事故を防ぐことができ、安全性を向上させることができる。
【００３５】
図５は、本発明の第５の実施形態の説明図である。この実施形態は、トランク扉８の無用な開口を禁止するための鍵機構１６を設け、更に、この鍵機構１６を操作するための鍵操作部１７をかご床面６より所定高さ以上の位置にある壁面１ｂ上の個所としたものである。この所定の高さとは、例えば、小さな子供の手の届かない高さである。このように、鍵操作穴１７を壁面１ｂ上のある程度高い場所に設けることにより、大人の乗客又は管理人が保管していた鍵を子供が隙をみて手に入れてしまったような場合でも、子供が勝手にトランク扉８を開けてトランク室７ａ内に入り、そのまま閉じこめられてしまうような事故が発生するのを防止することができる。
【００３６】
図６は、図５のＶＩ−ＶＩ線に沿う矢視図であり、鍵機構１６の詳細な説明図である。この図において、鍵操作穴１７が取付板１８の一端側に設けられており、この一端側から横方向に延びる取付板１８の他端側にはピン部材１９を介してリンク部材２０の一端側が取り付けられている。リンク部材２０は垂直方向に延びるように配設されており、他端側はピン部材２１を介して別のリンク部材２２の一端側に取り付けられている。この一端側から横方向に延びるリンク部材２２の他端側は固定軸２３を介して係止板２４の一端側に取り付けられている。係止板２４は垂直方向に延びるように配設されており、その他端側には係止部２４ａが形成されている。この係止部２４ａがトランク扉８の側面上に突設された係止ピン２５と係合している。
【００３７】
このような鍵機構１６の概略動作につき説明する。乗客が管理人から借りた鍵を鍵操作穴１７に差し込んで、この鍵を時計方向に回すようにする。すると、取付板１８が時計方向に回転し、ピン部材１９，２１の位置が下方に移動する。これにより、リンク部材２２は固定軸２３を中心にして時計方向に回転し、また、係止板２４も固定軸２３を中心にして時計方向に回転する。したがって、係止部２４ａは係止ピン２５から離間して両者の係合が解除され、それまで施錠状態にあった鍵機構１６は解錠状態となる。つまり、乗客はトランク扉８を開放状態とし、トランク室７ａ内に長尺物の一端側を差し込むことができる。
【００３８】
【発明の効果】
以上のように、本発明によれば、トランクを、トランク開口部がかご床面に臨むように、かご床面下方に付設し、常時は該トランク開口部をかご床面の一部を形成するトランク扉により覆った構成としたので、機械室レスエレベータシステムのメリットを減殺することなく、また、かご内の天井の意匠的効果を損なうことなく、長尺物を運搬することが可能なトランク付きエレベータを実現することができる。
【図面の簡単な説明】
【図１】本発明の第１の実施形態の説明図であり、（ａ）は側面図、（ｂ）は平面図である。
【図２】本発明の第２の実施形態の説明図であり、（ａ）は伸縮可能なトランク１４の使用時における状態を示し、（ｂ）は伸縮可能なトランク１４の非使用時における状態を示している。
【図３】本発明の第３の実施形態の説明図。
【図４】本発明の第４の実施形態の説明図。
【図５】本発明の第５の実施形態の説明図。
【図６】図５のＶＩ−ＶＩ線に沿う矢視図であり、鍵機構１６の詳細な説明図。
【図７】従来のトランク付きエレベータの構成を示す説明図。
【符号の説明】
１  かご
１ａ  かご室
２  かご枠
３  メインロープ
４  巻上シーブ
５  カウンタウェイト
６  かご床面
７  トランク
７ａ  トランク室
８  トランク扉
９  ピット
９ａ  拡張部
１０  緩衝器
１１  鍵部
１２  開口状態検出器
１３  エレベータ制御回路
１４  トランク
１４ａ  トランク室
１４Ａ，１４Ｂ，１４Ｃ  筒部材
１５  金属製チェーン（トランク）
１６  鍵機構
１７  鍵操作穴
１８  取付板
１９，２１  ピン部材
２０，２２  リンク部材
２３  固定軸
２４  係止板
２４ａ  係止部
２５  係止ピン
【図１】
2004244189.tif 000003
【図２】
2004244189.tif 000004
【図３】
2004244189.tif 000005
【図４】
2004244189.tif 000006
【図５】
2004244189.tif 000007
【図６】
2004244189.tif 000008
【図７】
2004244189.tif 000009